(57)【要約】【課題】より高い精度で移動機の時刻を補正することができるようにする。【解決手段】フェムトセル基地局１１においては、内部の時刻をNTPサーバ１６において管理されている基準の時刻に同期させることが繰り返し行われている。フェムトセルＦに移動機２１が在圏したことが検出された場合、フェムトセル基地局１１から移動機２１に対して、フェムトセル基地局１１の内部の時刻を表す内部時刻情報が送信される。フェムトセルＦに移動機２１が在圏したことは、移動機２１からフェムトセル基地局１１に対して位置登録の要求が送信されることによって検出される。内部時刻情報を受信した移動機２１においては、フェムトセル基地局１１の内部の時刻に合わせるように、移動機２１の内部の時刻の補正が行われる。本発明は、フェムトセル基地局に適用することができる。【選択図】図２
2010199797.tif 000002
【特許請求の範囲】
【請求項１】
基準となる時刻を管理するサーバとネットワークを介して通信を行い、装置内部の時刻を、前記サーバにおいて管理されている時刻と同期させることを行う時刻同期手段と、
自身が管理するセルに移動機が在圏したことを検出する在圏検出手段と、
前記在圏検出手段により在圏したことが検出された前記移動機に前記装置内部の時刻の情報を送信し、前記移動機内部の時刻を補正させる送信制御手段と
を備える小型基地局。
【請求項２】
前記移動機との間で第１の無線通信を行い、前記移動機から送信された、他の移動機を送信先とする前記移動機のユーザの音声データを受信するとともに、前記他の移動機から送信された、前記他の移動機のユーザの音声データを前記移動機に送信する第１の通信手段をさらに備え、
前記送信制御手段は、前記第１の無線通信によって前記装置内部の時刻の情報を前記移動機に送信する
請求項１に記載の小型基地局。
【請求項３】
前記第１の無線通信と異なる通信方式の第２の無線通信を前記移動機との間で行う第２の通信手段をさらに備え、
前記送信制御手段は、さらに、前記装置内部の時刻の情報を送信することが前記第２の無線通信によって前記移動機から要求された場合、前記装置内部の時刻の情報を前記第２の無線通信によって前記移動機に送信する
請求項２に記載の小型基地局。
【請求項４】
基準となる時刻を管理するサーバとネットワークを介して通信を行い、装置内部の時刻を、前記サーバにおいて管理されている時刻と同期させることを行い、
自身が管理するセルに移動機が在圏したことを検出し、
在圏したことを検出した前記移動機に前記装置内部の時刻の情報を送信し、前記移動機内部の時刻を補正させる
ステップを含む情報処理方法。
【請求項５】
基準となる時刻を管理するサーバとネットワークを介して通信を行い、装置内部の時刻を、前記サーバにおいて管理されている時刻と同期させることを行っている小型基地局が管理するセルに在圏した場合、位置登録の要求を前記小型基地局に送信する送信手段と、
前記位置登録の要求を送信することに応じて前記小型基地局から送信されてくる、前記装置内部の時刻の情報を受信する時刻情報取得手段と、
前記時刻情報取得手段により受信された情報により表される時刻と一致するように移動機内部の時刻を補正する時刻補正手段と
を備える移動機。
【請求項６】
前記小型基地局との間で第１の無線通信を行い、他の移動機に対する前記移動機のユーザの音声データを前記小型基地局に送信するとともに、前記他の移動機から送信され、前記小型基地局を中継して送信されてきた、前記他の移動機のユーザの音声データを受信する第１の通信手段をさらに備え、
前記時刻情報取得手段は、前記第１の無線通信によって前記小型基地局から送信されてくる前記装置内部の時刻の情報を受信する
請求項５に記載の移動機。
【請求項７】
前記第１の無線通信と異なる通信方式の第２の無線通信を前記小型基地局との間で行う第２の通信手段をさらに備え、
前記時刻情報取得手段は、前記装置内部の時刻の情報の送信を前記第２の無線通信によって前記小型基地局に要求し、要求に応じて、前記第２の無線通信によって前記小型基地局から送信されてきた前記装置内部の時刻の情報を受信する
請求項６に記載の移動機。
【請求項８】
基準となる時刻を管理するサーバとネットワークを介して通信を行い、装置内部の時刻を、前記サーバにおいて管理されている時刻と同期させることを行っている小型基地局が管理するセルに在圏した場合、位置登録の要求を前記小型基地局に送信し、
前記位置登録の要求を送信することに応じて前記小型基地局から送信されてくる、前記装置内部の時刻の情報を受信し、
受信した情報により表される時刻と一致するように移動機内部の時刻を補正する
ステップを含む情報処理方法。
【発明の詳細な説明】
【技術分野】
【０００１】
本発明は、小型基地局、情報処理方法に関し、特に、より高い精度で移動機の時刻を補正することができるようにした小型基地局、情報処理方法に関する。
【背景技術】
【０００２】
近年、携帯電話機などの移動機内部の時刻を補正する技術として各種の技術が提案、または実現されている。
【０００３】
例えば、移動機に搭載されたGPS(Global Positioning System)機能を利用し、衛星から配信される時刻情報に基づいて時刻を補正することが行われている。
【０００４】
また、電源のON/OFF時に行うCell Selection時（在圏するセルの選択時）に基地局から配信される時刻情報に基づいて時刻を補正することも行われている。
【０００５】
さらに、NTP(Network Time Protocol)に対応したサーバであるNTPサーバにアクセスし、NTPサーバから取得された時刻情報に基づいて時刻を補正をすることも行われている。NTPは、ネットワークに接続される装置が内部で管理している時刻を正しい時刻に合わせるためのプロトコルである。
【０００６】
図１は、NTPを利用した従来の時刻補正システムの構成例を示す図である。
【０００７】
図１に示すように、時刻補正システムは、マクロセル基地局２、コアネットワーク３、IP網４、およびNTPサーバ５から構成される。マクロセル基地局２が電波を出力することによりマクロセルが形成され、そのマクロセルに移動機１が在圏している。
【０００８】
マクロセル基地局２は、電波を出力することによって、半径数百メートルから数キロメートルの範囲にマクロセルを形成し、移動機１を含む、マクロセルに在圏している移動機による通信を管理する。
【０００９】
コアネットワーク３は、移動機間のセッションを管理し、音声データの送受信を制御するCSCF(Call Session Control Function)や、データを格納したパケットのルーティングなどを行うMGW(Media Gate Way)などの装置から構成される。IP網４に接続されるNTPサーバ５から送信されたデータは、コアネットワーク３を介してマクロセル基地局２に送信される。
【００１０】
IP網４は、インターネットなどよりなるネットワークである。IP網４にはIP(Internet Protocol)に従ってデータの送受信を行う各種の装置が接続される。
【００１１】
NTPサーバ５は、NTPに対応したサーバであり、基準となる時刻を管理する。
【００１２】
このような構成を有する時刻補正システムにおいて装置内部の時刻を補正する場合、移動機１は、マクロセル基地局２、コアネットワーク３、IP網４を介してNTPサーバ５にアクセスし、時刻情報の送信を要求する。要求に応じてNTPサーバ５から送信された時刻情報は、IP網４、コアネットワーク３、マクロセル基地局２を介して移動機１に対して送信される。
【００１３】
移動機１は、NTPサーバ５から送信されてきた時刻情報を受信し、受信した時刻情報に基づいて、移動機１の内部の時刻を補正する。これにより、移動機１の内部の時刻を、NTPサーバ５において管理されている基準の時刻と同期させることが可能になる。
【先行技術文献】
【特許文献】
【００１４】
【特許文献１】特開２００３−３１５４７８号公報
【発明の概要】
【発明が解決しようとする課題】
【００１５】
NTPサーバを利用して時刻を補正する場合、上述したように、NTPサーバからの時刻情報は、IP網、コアネットワーク、およびマクロセル基地局を介して移動機に送信される。
【００１６】
時刻情報の経路上の、特にコアネットワークにおいて生じる遅延が比較的大きいことから、移動機に時刻情報が実際に到達したときには、時刻情報の時刻と、そのときNTPサーバにより管理されている基準の時刻のずれが大きくなっていることがある。
【００１７】
時刻情報の時刻と、NTPサーバにより管理されている基準の時刻のずれが大きい場合、移動機の内部の時刻を正しく補正することができない。
【００１８】
本発明はこのような状況に鑑みてなされたものであり、より高い精度で移動機の時刻を補正することができるようにするものである。
【課題を解決するための手段】
【００１９】
本発明の小型基地局は、基準となる時刻を管理するサーバとネットワークを介して通信を行い、装置内部の時刻を、前記サーバにおいて管理されている時刻と同期させることを行う時刻同期手段と、自身が管理するセルに移動機が在圏したことを検出する在圏検出手段と、前記在圏検出手段により在圏したことが検出された前記移動機に前記装置内部の時刻の情報を送信し、前記移動機内部の時刻を補正させる送信制御手段とを備える。
【００２０】
前記移動機との間で第１の無線通信を行い、前記移動機から送信された、他の移動機を送信先とする前記移動機のユーザの音声データを受信するとともに、前記他の移動機から送信された、前記他の移動機のユーザの音声データを前記移動機に送信する第１の通信手段をさらに設けることができる。この場合、前記送信制御手段には、前記第１の無線通信によって前記装置内部の時刻の情報を前記移動機に送信させることができる。
【００２１】
前記第１の無線通信と異なる通信方式の第２の無線通信を前記移動機との間で行う第２の通信手段をさらに設けることができる。この場合、前記送信制御手段には、さらに、前記装置内部の時刻の情報を送信することが前記第２の無線通信によって前記移動機から要求された場合、前記装置内部の時刻の情報を前記第２の無線通信によって前記移動機に送信させることができる。
【００２２】
本発明の第１の情報処理方法は、基準となる時刻を管理するサーバとネットワークを介して通信を行い、装置内部の時刻を、前記サーバにおいて管理されている時刻と同期させることを行い、自身が管理するセルに移動機が在圏したことを検出し、在圏したことを検出した前記移動機に前記装置内部の時刻の情報を送信し、前記移動機内部の時刻を補正させるステップを含む。
【００２３】
本発明の移動機は、基準となる時刻を管理するサーバとネットワークを介して通信を行い、装置内部の時刻を、前記サーバにおいて管理されている時刻と同期させることを行っている小型基地局が管理するセルに在圏した場合、位置登録の要求を前記小型基地局に送信する送信手段と、前記位置登録の要求を送信することに応じて前記小型基地局から送信されてくる、前記装置内部の時刻の情報を受信する時刻情報取得手段と、前記時刻情報取得手段により受信された情報により表される時刻と一致するように移動機内部の時刻を補正する時刻補正手段とを備える。
【００２４】
前記小型基地局との間で第１の無線通信を行い、他の移動機に対する前記移動機のユーザの音声データを前記小型基地局に送信するとともに、前記他の移動機から送信され、前記小型基地局を中継して送信されてきた、前記他の移動機のユーザの音声データを受信する第１の通信手段をさらに設けることができる。この場合、前記時刻情報取得手段には、前記第１の無線通信によって前記小型基地局から送信されてくる前記装置内部の時刻の情報を受信させることができる。
【００２５】
前記第１の無線通信と異なる通信方式の第２の無線通信を前記小型基地局との間で行う第２の通信手段をさらに設けることができる。この場合、前記時刻情報取得手段には、前記装置内部の時刻の情報の送信を前記第２の無線通信によって前記小型基地局に要求させ、要求に応じて、前記第２の無線通信によって前記小型基地局から送信されてきた前記装置内部の時刻の情報を受信させることができる。
【００２６】
本発明の第２の情報処理方法は、基準となる時刻を管理するサーバとネットワークを介して通信を行い、装置内部の時刻を、前記サーバにおいて管理されている時刻と同期させることを行っている小型基地局が管理するセルに在圏した場合、位置登録の要求を前記小型基地局に送信し、前記位置登録の要求を送信することに応じて前記小型基地局から送信されてくる、前記装置内部の時刻の情報を受信し、受信した情報により表される時刻と一致するように移動機内部の時刻を補正するステップを含む。
【００２７】
本発明の小型基地局または第１の情報処理方法においては、基準となる時刻を管理するサーバとネットワークを介して通信を行い、装置内部の時刻を、前記サーバにおいて管理されている時刻と同期させることが行われる。自身が管理するセルに移動機が在圏したことが検出され、在圏したことが検出された前記移動機に前記装置内部の時刻の情報を送信し、前記移動機内部の時刻を補正させることが行われる。
【００２８】
本発明の移動機または第２の情報処理方法においては、小型基地局が管理するセルに在圏した場合、位置登録の要求が前記小型基地局に送信され、前記位置登録の要求を送信することに応じて前記小型基地局から送信されてくる、前記装置内部の時刻の情報が受信される。また、受信された情報により表される時刻と一致するように移動機内部の時刻が補正される。
【発明の効果】
【００２９】
本発明によれば、より高い精度で移動機の時刻を補正することができる。
【図面の簡単な説明】
【００３０】
【図１】従来の時刻補正システムの構成例を示す図である。
【図２】本発明の一実施形態に係る時刻補正システムの構成例を示す図である。
【図３】フェムトセル基地局のハードウエア構成例を示すブロック図である。
【図４】フェムトセル基地局の機能構成例を示すブロック図である。
【図５】移動機のハードウエア構成例を示すブロック図である。
【図６】移動機の機能構成例を示すブロック図である。
【図７】フェムトセル基地局の時刻情報送信処理について説明するフローチャートである。
【図８】移動機の時刻補正処理について説明するフローチャートである。
【図９】フェムトセル基地局の他の時刻情報送信処理について説明するフローチャートである。
【図１０】移動機の他の時刻補正処理について説明するフローチャートである。
【発明を実施するための形態】
【００３１】
［時刻補正システムの構成例］
図２は、本発明の一実施形態に係る時刻補正システムの構成例を示す図である。
【００３２】
図２の例においては、家屋やオフィスビルなどの構内にフェムトセル基地局１１が設置されており、フェムトセル基地局１１によりフェムトセルＦが形成されている。フェムトセルＦは、公衆網を構成するマクロセルより狭い、半径数メートル、数十メートルなどのフェムトセル基地局１１が設置されている構内の範囲を通信可能範囲としてカバーするセルである。
【００３３】
フェムトセル基地局１１にはLAN(Local Area Network)ケーブル１２を介してモデム１３が接続されている。モデム１３は、ADSL(Asymmetric Digital Subscriber Line)回線や光ファイバ回線などよりなるブロードバンド回線１４の宅内装置である。フェムトセル基地局１１にモデム機能が搭載されている場合、フェムトセル基地局１１がブロードバンド回線１４に直接接続されるようにしてもよい。
【００３４】
フェムトセル基地局１１は、LANケーブル１２、モデム１３、およびブロードバンド回線１４を介してインターネットなどよりなるIP網１５に接続され、フェムトセルＦに在圏している移動機が行う通信を中継する。
【００３５】
図示はしていないが、ブロードバンド回線１４にはコアネットワークも接続される。例えば、移動機２１から送信され、フェムトセル基地局１１により受信された音声データは、LANケーブル１２を介してモデム１３に転送され、ブロードバンド回線１４、コアネットワークを介して、音声通話を制御するCSCFなどのサーバに送信される。
【００３６】
一方、移動機２１との間で音声通話のセッションが確立されている移動機から送信され、CSCFを中継して移動機２１に対して送信された音声データは、コアネットワーク、ブロードバンド回線１４を介してモデム１３により受信される。モデム１３により受信された通話相手の音声データは、LANケーブル１２を介してフェムトセル基地局１１に転送され、フェムトセル基地局１１から移動機２１に送信される。
【００３７】
音声通話のセッションが確立された上で送受信される音声データとは異なる、メールのデータ、HTML(Hyper Text Markup Language)ファイルなどのデータが、IP網１５、ブロードバンド回線１４、モデム１３、LANケーブル１２を介してフェムトセル基地局１１に送信され、フェムトセル基地局１１から移動機２１に送信されることになる。
【００３８】
図１の例においては、携帯電話機である移動機２１がフェムトセルＦに在圏している。移動機２１は、例えばCDMA(Code Division Multiple Access)方式に従って、音声データなどの各種のデータの送受信をそのとき在圏しているセルを管理する基地局との間で行う。
【００３９】
このような構成を有する時刻補正システムにおいて、フェムトセル基地局１１は、所定のタイミングでNTPサーバ１６にアクセスし、NTPサーバ１６において管理されている基準の時刻を表す基準時刻情報の送信を要求する。
【００４０】
フェムトセル基地局１１からの要求に応じてNTPサーバ１６から送信された基準時刻情報は、IP網１５、ブロードバンド回線１４を介してモデム１３により受信され、LANケーブル１２を介してフェムトセル基地局１１に転送される。
【００４１】
フェムトセル基地局１１は、NTPサーバ１６から送信されてきた基準時刻情報に基づいて内部の時刻を補正し、自身が管理する内部の時刻を、NTPサーバ１６において管理されている基準の時刻に同期させる。基準の時刻に同期させることが所定のタイミングで繰り返し行われることにより、フェムトセル基地局１１が管理する内部の時刻は、常に、基準の時刻と高い精度で一致するものになる。
【００４２】
また、フェムトセル基地局１１は、自身が管理するフェムトセルＦに移動機２１が在圏したことを検出した場合、フェムトセル基地局１１の内部の時刻を表す内部時刻情報を移動機２１に送信する。
【００４３】
フェムトセル基地局１１から送信された内部時刻情報を受信した移動機２１は、内部時刻情報の時刻に合わせることによって、自身が管理する内部の時刻を補正する。
【００４４】
フェムトセル基地局１１の内部の時刻がNTPサーバ１６により管理されている基準の時刻と高い精度で一致している場合、移動機２１の内部の時刻も、その基準の時刻と高い精度で一致することになる。
【００４５】
図１に示すようにして移動機自身がNTPサーバから時刻情報を直接取得して補正する場合に較べて、コアネットワークを経由することなく時刻情報を移動機に到達させることが可能になる。これにより、コアネットワークにおいて生じる遅延の分だけ、フェムトセルＦに在圏している移動機の内部の時刻を、NTPサーバ１６において管理されている基準の時刻に近づけることが可能になる。
【００４６】
また、NTPサーバ１６を利用して時刻を補正するため、フェムトセル基地局１１や移動機２１にGPS機能を搭載しておく必要がない。例えば、GPS機能を搭載し、衛星から配信される時刻情報に基づいてフェムトセル基地局１１内部の時刻を補正させることも考えられるが、フェムトセル基地局１１は、通常、構内に設置されるものであるため、それを行わせるのは困難であると考えられる。また、時刻補正のためにGPS機能を搭載する場合に較べて、フェムトセル基地局１１、または移動機２１のコストを削減することも可能になる。
【００４７】
フェムトセルＦに在圏している全ての移動機の時刻を一致させることが可能になる。フェムトセルＦに在圏している移動機間の時刻が一致していることを高い精度で要求するサービス、アプリケーションが今後展開されることも想定され、そのような要求にも対応することが可能になる。
【００４８】
在圏すれば時刻を補正することが可能であるため、時刻補正のための設定を移動機のユーザは行う必要がない。
【００４９】
なお、フェムトセルＦに在圏したタイミングだけでなく、フェムトセルＦに在圏している移動機２１を操作し、ユーザが時刻補正を指示したタイミングでも、移動機２１の内部の時刻の補正が行われる。
【００５０】
例えば、ユーザが時刻補正を指示した場合、フェムトセル基地局１１と移動機２１の間ではブルートゥース（商標）などの所定の規格の無線通信が開始され、移動機２１からフェムトセル基地局１１に対して内部時刻情報の送信が要求される。要求を受信したフェムトセル基地局１１から移動機２１に対して内部時刻情報が送信され、移動機２１において時刻の補正が行われる。
【００５１】
以上のようにして内部の時刻を補正するフェムトセル基地局１１と移動機２１の処理については後述する。
【００５２】
［フェムトセル基地局１１と移動機２１の構成例］
図３は、フェムトセル基地局１１のハードウエア構成例を示すブロック図である。
【００５３】
図３に示すように、フェムトセル基地局１１は、ネットワーク通信部３１、制御部３２、無線通信部３３、アンテナ３４、ブルートゥース通信部３５、およびアンテナ３６から構成される。
【００５４】
ネットワーク通信部３１はネットワークのインタフェースであり、TCP/IP(Transmission Control Protocol/Internet Protocol)、UDP(User Datagram Protocol)などの所定のプロトコルに従って、LANケーブル１２とモデム１３を介して通信を行う。
【００５５】
ネットワーク通信部３１は、CSCFから送信され、モデム１３により受信された音声データを無線通信部３３に出力し、一方、無線通信部３３から供給された、フェムトセルＦに在圏している移動機２１からの音声データをモデム１３に出力してCSCFに送信させる。
【００５６】
また、ネットワーク通信部３１は、制御部３２による制御に従ってNTPサーバ１６にアクセスし、基準時刻情報を受信する。ネットワーク通信部３１は、受信した基準時刻情報を制御部３２に出力する。
【００５７】
制御部３２はCPU(Central Processing Unit)，ROM(Read Only Memory)，RAM(Random Access Memory)などよりなり、所定のプログラムを実行してフェムトセル基地局１１の全体の動作を制御する。
【００５８】
例えば、制御部３２は、フェムトセル基地局１１の内部の時刻を管理し、ネットワーク通信部３１から供給された基準時刻情報に基づいて、管理している時刻を補正する。
【００５９】
また、制御部３２は、フェムトセルＦに移動機２１が在圏したことを検出した場合、無線通信部３３を制御し、内部時刻情報を移動機２１に送信させる。
【００６０】
制御部３２は、内部時刻情報の送信を要求する信号である時刻取得信号が移動機２１から送信され、ブルートゥース通信部３５において受信された場合、ブルートゥース通信部３５を制御し、内部時刻情報をブルートゥース通信によって移動機２１に送信させる。
【００６１】
無線通信部３３は、空中線電力が２０ｍＷ以下などの所定の強度の電波をアンテナ３４から出力し、W-CDMA、CDMA2000などの規格に従って、フェムトセルＦに在圏している移動機２１と無線通信を行う。
【００６２】
無線通信部３３は、ネットワーク通信部３１から供給された音声データを、送信先として指定された移動機２１に送信し、アンテナ３４から供給された信号に基づいて受信した移動機２１からの音声データをネットワーク通信部３１に出力する。
【００６３】
また、無線通信部３３は、フェムトセルＦに在圏した移動機２１から位置登録の要求が送信されてきた場合、そのことを表す情報を制御部３２に出力し、制御部３２から供給された内部時刻情報を移動機２１に送信する。
【００６４】
ブルートゥース通信部３５は、アンテナ３６から電波を送信し、またはアンテナ３６において移動機２１からの電波を受信することによって、ブルートゥース規格に従って移動機２１との間で無線通信を行う。
【００６５】
フェムトセルＦを利用して音声通話などを行う場合、ユーザは、移動機２１に割り当てられた識別情報などの情報をフェムトセル基地局１１にあらかじめ登録しておく必要がある。例えば、その登録時に、ブルートゥースアドレスやPIN(Personal Identification Number)コードなどの、ブルートゥース通信に必要な移動機側の情報の入力も行われており、移動機２１の識別情報とブルートゥースアドレスなどの情報がブルートゥース通信部３５により対応付けて管理されている。
【００６６】
移動機２１の在圏が検出された場合、ブルートゥース通信部３５に対しては、移動機２１の識別情報が制御部３２から供給されてくる。ブルートゥース通信部３５は、供給された識別情報に対応付けて管理しているブルートゥースアドレスによって特定される機器である移動機２１とブルートゥース通信を行い、適宜、内部時刻情報を移動機２１に送信する。
【００６７】
図４は、フェムトセル基地局１１の機能構成例を示すブロック図である。
【００６８】
図４に示すように、フェムトセル基地局１１の制御部３２においては、在圏検出部４１、時刻同期部４２、および時刻情報送信制御部４３が実現される。図４に示す機能部のうちの少なくとも一部は、図３の制御部３２内のCPUにより所定のプログラムが実行されることによって実現される。
【００６９】
在圏検出部４１は、無線通信部３３から供給される情報に基づいて、外部のマクロセルなどからフェムトセルＦに移行して在圏することになった移動機を検出する。
【００７０】
例えば、移動機２１がフェムトセルＦに在圏した場合、移動機２１からは、位置登録の要求が送信されてくる。在圏検出部４１は、その要求が無線通信部３３において受信されたことに応じて移動機２１がフェムトセルＦに在圏したことを検出する。
【００７１】
在圏検出部４１は、移動機２１がフェムトセルＦに在圏したことを表す情報を時刻同期部４２とブルートゥース通信部３５に出力する。ブルートゥース通信部３５に対しては、在圏したことが検出された移動機２１の識別情報なども供給される。
【００７２】
また、在圏検出部４１は、フェムトセルＦに在圏した移動機２１から送信されてきた位置登録の要求をフェムトセル基地局１１に割り当てられている識別情報とともにネットワーク通信部３１に出力し、HSS(Home Subscriber Server)に送信させる。HSSは、コアネットワークなどに接続される装置であり、各移動機がどのセルに在圏しているのかを管理し、適宜、管理している情報をCSCFなどに提供するサーバである。在圏するセルを切り替えた移動機からは、このような位置登録の要求が、新たに在圏することになったセルを管理する基地局に対して送信される。
【００７３】
時刻同期部４２は、フェムトセル基地局１１の内部の時刻を管理する。また、時刻同期部４２は、ネットワーク通信部３１を制御してNTPサーバ１６にアクセスし、NTPサーバ１６から送信されてきた基準時刻情報を受信する。時刻同期部４２は、基準時刻情報の時刻に一致するように、管理している内部の時刻を補正する。
【００７４】
時刻同期部４２は、移動機２１がフェムトセルＦに在圏したことが在圏検出部４１により検出された場合、管理している内部の時刻の情報である内部時刻情報を時刻情報送信制御部４３に出力する。
【００７５】
時刻情報送信制御部４３は、無線通信部３３を制御し、時刻同期部４２から供給された内部時刻情報を移動機２１に送信させる。
【００７６】
また、時刻情報送信制御部４３は、移動機２１から送信されてきた時刻取得信号がブルートゥース通信部３５において受信された場合、時刻同期部４２から内部時刻情報を取得し、ブルートゥース通信部３５を制御して、内部時刻情報をブルートゥース通信によって移動機２１に送信させる。
【００７７】
図５は、移動機２１のハードウエア構成例を示すブロック図である。
【００７８】
図５に示すように、移動機２１は、アンテナ５１、無線通信部５２、制御部５３、音声処理部５４、ブルートゥース通信部５５、アンテナ５６、操作部５７、および表示部５８から構成される。
【００７９】
無線通信部５２は、アンテナ５１から電波を送信し、またはアンテナ５１においてフェムトセル基地局１１を含む基地局からの電波を受信することによって、そのとき在圏しているセルを管理する基地局とW-CDMA、CDMA2000などの規格に従って通信を行う。
【００８０】
例えば、無線通信部５２は、制御部５３から供給された移動機２１のユーザの音声のデータをフェムトセル基地局１１に送信し、フェムトセル基地局１１から送信されてきた、通話相手の音声のデータを制御部５３に出力する。
【００８１】
また、無線通信部５２は、フェムトセルＦに在圏したタイミングで位置登録の要求をフェムトセル基地局１１に送信し、フェムトセル基地局１１から送信されてきた内部時刻情報を受信する。無線通信部５２は、受信した内部時刻情報を制御部５３に出力する。
【００８２】
制御部５３はCPU，ROM，RAMなどよりなり、所定のプログラムを実行して移動機２１の全体の動作を制御する。
【００８３】
例えば、制御部５３は、移動機２１の内部の時刻を管理し、無線通信部５２から供給された内部時刻情報、またはブルートゥース通信部５５から供給された内部時刻情報に基づいて、管理している時刻を補正する。また、制御部５３は、操作部５７から供給された信号に基づいて、時刻補正を行うことがユーザにより指示されたことを検出した場合、ブルートゥース通信部５５を制御し、時刻取得信号をフェムトセル基地局１１に送信させる。
【００８４】
制御部５３は、無線通信部５２から供給された音声データを音声処理部５４に出力し、音声処理部５４から供給された音声データを無線通信部５２に出力することや、表示部５８に各種の情報を表示させることなども行う。
【００８５】
音声処理部５４は、制御部５３から供給された音声データをデコードし、通話相手の音声をスピーカから出力させる。また、音声処理部５４は、マイクロフォンにより集音した音声をエンコードし、移動機２１のユーザの音声のデータを制御部５３に出力する。
【００８６】
ブルートゥース通信部５５は、アンテナ５６から電波を送信し、またはアンテナ５６においてフェムトセル基地局１１からの電波を受信することによって、ブルートゥース規格に従ってフェムトセル基地局１１との間で無線通信を行う。
【００８７】
ブルートゥース通信部５５は、制御部５３による制御に従って、時刻取得信号をフェムトセル基地局１１に送信し、また、フェムトセル基地局１１から送信されてきた内部時刻情報を受信する。ブルートゥース通信部５５は、受信した内部時刻情報を制御部５３に出力する。
【００８８】
操作部５７は、移動機２１の筐体に設けられるテンキーやタッチパネルなどに対するユーザの操作を検出し、検出した操作の内容を表す信号を制御部５３に出力する。
【００８９】
表示部５８はLCD(Liquid Crystal Display)などよりなり、制御部５３による制御に従って各種の情報を表示する。
【００９０】
図６は、移動機２１の機能構成例を示すブロック図である。
【００９１】
図６に示すように、移動機２１の制御部５３においては、時刻情報取得部６１、および時刻管理部６２が実現される。図６に示す機能部のうちの少なくとも一部は、図５の制御部５３内のCPUにより所定のプログラムが実行されることによって実現される。
【００９２】
時刻情報取得部６１は、フェムトセル基地局１１から送信され、無線通信部５２において受信された内部時刻情報を取得する。時刻情報取得部６１は、取得した内部時刻情報を時刻管理部６２に出力する。
【００９３】
また、時刻情報取得部６１は、操作部５７から供給された信号に基づいて、時刻補正を行うことがユーザにより指示されたことを検出した場合、ブルートゥース通信部５５を制御し、時刻取得信号を送信させる。フェムトセル基地局１１から送信された内部時刻情報がブルートゥース通信部５５において受信された場合、時刻情報取得部６１は、受信された内部時刻情報を取得し、時刻管理部６２に出力する。
【００９４】
時刻管理部６２は、移動機２１の内部の時刻を管理する。また、時刻管理部６２は、時刻情報取得部６１から供給された内部時刻情報の時刻に一致するように、管理している内部の時刻を補正する。
【００９５】
［フェムトセル基地局１１と移動機２１の処理］
ここで、以上のような構成を有するフェムトセル基地局１１と移動機２１の処理について説明する。
【００９６】
はじめに、図７のフローチャートを参照して、内部時刻情報を送信するフェムトセル基地局１１の処理について説明する。
【００９７】
ステップＳ１において、時刻同期部４２は、NTPサーバ１６にアクセスし、NTPサーバ１６から送信されてきた基準時刻情報の時刻と、フェムトセル基地局１１の内部の時刻を同期させる。
【００９８】
ステップＳ２において、在圏検出部４１は、無線通信部３３から供給される情報に基づいて、フェムトセルＦに在圏した移動機があるか否かを判定する。フェムトセルＦに在圏した移動機がないとステップＳ２において判定された場合、ステップＳ１に戻り、NTPサーバ１６において管理されている基準の時刻と内部の時刻を同期させることが繰り返される。
【００９９】
一方、位置登録の要求が移動機２１から送信されてきたことから、フェムトセルＦに在圏した移動機があるとステップＳ２において判定された場合、ステップＳ３において、時刻情報送信制御部４３は、無線通信部３３を制御し、時刻同期部４２から供給された内部時刻情報を移動機２１に送信する。
【０１００】
その後、ステップＳ１に戻り、以上の処理が繰り返される。
【０１０１】
次に、図８のフローチャートを参照して、時刻を補正する移動機２１の処理について説明する。この処理は、図７のフェムトセル基地局１１の処理に対応して行われる処理である。
【０１０２】
ステップＳ１１において、無線通信部５２は、フェムトセルＦに在圏したか否かを判定し、フェムトセルＦに在圏したと判定するまで待機する。
【０１０３】
移動機２１を携帯しているユーザがフェムトセル基地局１１に近づいたことから、フェムトセル基地局１１から出力される電波の強度が、いま在圏しているマクロセルの電波の強度より高くなったときなどのタイミングでフェムトセルＦに対する移行が生じる。
【０１０４】
フェムトセルＦに在圏したとステップＳ１１において判定した場合、ステップＳ１２において、無線通信部５２は、位置登録の要求をフェムトセル基地局１１に送信する。
【０１０５】
ステップＳ１３において、時刻情報取得部６１は、フェムトセル基地局１１から送信され、無線通信部５２を介して供給された内部時刻情報を受信し、時刻管理部６２に出力する。
【０１０６】
ステップＳ１４において、時刻管理部６２は、内部時刻情報の時刻に一致するように、移動機２１の内部の時刻を補正し、処理を終了させる。
【０１０７】
以上の処理により、フェムトセルＦに在圏するだけで、移動機２１の内部の時刻をより高い精度で補正することが可能になる。
【０１０８】
次に、図９のフローチャートを参照して、内部時刻情報を送信するフェムトセル基地局１１の他の処理について説明する。図９の処理は、時刻補正を行うことが移動機２１のユーザにより指示された場合の処理である。
【０１０９】
ステップＳ２１において、時刻情報送信制御部４３は、ブルートゥース通信部３５から供給される信号に基づいて、移動機２１から時刻取得信号が送信されてきたか否かを判定し、送信されてきたと判定するまで待機する。
【０１１０】
時刻取得信号が送信されてきたとステップＳ２１において判定した場合、ステップＳ２２において、時刻情報送信制御部４３は、内部時刻情報を時刻同期部４２から取得してブルートゥース通信部３５に出力し、移動機２１に送信させる。その後、ステップＳ２１に戻り、以上の処理が繰り返される。
【０１１１】
次に、図１０のフローチャートを参照して、時刻を補正する移動機２１の他の処理について説明する。この処理は、図９のフェムトセル基地局１１の処理に対応して行われる処理である。
【０１１２】
ステップＳ３１において、時刻情報取得部６１は、操作部５７から供給された信号に基づいて、時刻補正を行うことがユーザにより指示されたか否かを判定し、指示されたと判定するまで待機する。
【０１１３】
時刻補正を行うことが指示されたとステップＳ３１において判定された場合、ステップＳ３２において、時刻情報取得部６１は、ブルートゥース通信部５５を制御し、時刻取得信号をフェムトセル基地局１１に送信する。
【０１１４】
ステップＳ３３において、時刻情報取得部６１は、フェムトセル基地局１１から送信され、ブルートゥース通信部５５を介して供給された内部時刻情報を受信し、時刻管理部６２に出力する。
【０１１５】
ステップＳ３４において、時刻管理部６２は、内部時刻情報の時刻に一致するように、移動機２１の内部の時刻を補正し、処理を終了させる。
【０１１６】
以上の処理により、ユーザによる指示があったタイミングで、移動機２１の内部の時刻をより高い精度で補正することが可能になる。
【０１１７】
以上においては、フェムトセルＦに移動機２１が在圏したことが検出された場合、無線通信部３３により行われる無線通信によって内部時刻情報が送信されるものとしたが、ブルートゥース通信部３５による無線通信によって内部時刻情報が送信されるようにしてもよい。
【０１１８】
また、フェムトセル基地局１１から移動機２１に対する内部時刻情報の送信、または、移動機２１からフェムトセル基地局に対する時刻取得信号の送信がブルートゥース通信によって行われるものとしたが、無線LANなどの他の近距離無線通信によって行われるようにしてもよい。
【０１１９】
フェムトセル基地局１１に替えて、「ピコセル」、「マイクロセル」と呼ばれる小型セルを形成する基地局が設けられ、その基地局により、セルに在圏している移動機の時刻の補正が行われるようにしてもよい。小型基地局は、フェムトセル、ピコセル、マイクロセル等の小型セルを形成する基地局である。
【０１２０】
本発明の実施の形態は、上述した実施の形態に限定されるものではなく、本発明の要旨を逸脱しない範囲において種々の変更が可能である。
【符号の説明】
【０１２１】
１１  フェムトセル基地局，  １６  NTPサーバ，  ２１  移動機，  ３１  ネットワーク通信部，  ３２  制御部，  ３３  無線通信部，  ３４  アンテナ，  ３５  ブルートゥース通信部，  ３６  アンテナ，  ４１  在圏検出部，  ４２  時刻同期部，  ４３  時刻情報送信制御部，  ５１  アンテナ，  ５２  無線通信部，  ５３  制御部，  ５４  音声処理部，  ５５  ブルートゥース通信部，  ５６  アンテナ，  ５７  操作部，  ５８  表示部，  ６１  時刻情報取得部，  ６２  時刻管理部
【図１】
2010199797.tif 000003
【図２】
2010199797.tif 000004
【図３】
2010199797.tif 000005
【図４】
2010199797.tif 000006
【図５】
2010199797.tif 000007
【図６】
2010199797.tif 000008
【図７】
2010199797.tif 000009
【図８】
2010199797.tif 000010
【図９】
2010199797.tif 000011
【図１０】
2010199797.tif 000012